(57)【要約】【課題】履歴情報の品質の過不足を低減するよう調整でき、処理負荷や必要な記憶容量を最適化できる画像処理装置を提供する。【解決手段】処理の指示の入力を受けて、当該処理の対象となる画像データに対して指示された処理を実行する画像処理装置であって、入力された処理の指示に基づいて画像ログの生成に係る設定を定め、当該定められた設定に従い、処理の対象となった画像データに基づいて、画像ログを生成する。当該生成した画像ログが出力される。【選択図】図１
2008042782.tif 000002
【特許請求の範囲】
【請求項１】
処理の指示の入力を受けて、処理の対象となる画像データに対して前記指示された処理を実行する画像処理装置であって、
前記入力された処理の指示に基づいて、画像ログの生成に係る設定を定める手段と、
前記定められた設定に従い、前記処理の対象となった画像データに基づいて、画像ログを生成する手段と、
当該生成した画像ログを出力する手段と、
を含むことを特徴とする画像処理装置。
【請求項２】
請求項１に記載の画像処理装置であって、
前記画像ログの生成に係る設定を定める手段は、処理の指示による画像データの処理結果の出力先に基づいて、当該設定を定めることを特徴とする画像処理装置。
【請求項３】
請求項２に記載の画像処理装置であって、
前記画像ログの生成に係る設定を定める手段は、処理の指示による画像データの処理結果の出力先が複数ある場合には、予め定められた基準に従って、そのうちの一つを代表出力先として選択し、当該選択した代表出力先に基づいて、前記設定を定めることを特徴とする画像処理装置。
【請求項４】
請求項２に記載の画像処理装置であって、
前記画像ログの生成に係る設定は、画像ログの生成パラメータ情報を、少なくとも一つ含み、
前記画像ログの生成に係る設定を定める手段は、処理の指示による画像データの処理結果の出力先が複数ある場合には、各出力先に関連づけられている設定を取得し、取得した複数の設定のそれぞれに含まれている生成パラメータ情報のそれぞれについて、予め定められた基準に従って、代表パラメータを選択し、当該選択した代表パラメータの組み合わせに基づいて、画像ログの生成に係る設定を定めることを特徴とする画像処理装置。
【請求項５】
処理の指示の入力を受けて、当該処理の対象となる画像データに対して前記指示された処理を実行する画像処理装置の制御方法であって、
前記入力された処理の指示に基づいて画像ログの生成に係る設定を定める工程と、
前記定められた設定に従い、前記処理の対象となった画像データに基づいて、画像ログを生成する工程と、
当該生成した画像ログを出力する工程と、
を含むことを特徴とする画像処理装置の制御方法。
【請求項６】
処理の指示の入力を受けて、当該処理の対象となる画像データに対して前記指示された処理を実行するコンピュータに、
前記入力された処理の指示に基づいて画像ログの生成に係る設定を定める手順と、
前記定められた設定に従い、前記処理の対象となった画像データに基づいて、画像ログを生成する手順と、
当該生成した画像ログを出力する手順と、
を実行させることを特徴とするプログラム。
【発明の詳細な説明】
【技術分野】
【０００１】
本発明は、複合機など、画像データを受信して処理する画像処理装置に関する。
【背景技術】
【０００２】
近年、複合機等の画像処理装置において、ファクシミリ受信した画像データや、印刷の対象として受信される画像データ、スキャナ等で読み取られた画像データ等をログ（履歴情報）として蓄積し、機密にするべき画像データの漏洩を牽制し、また、漏洩した場合の漏洩元の特定に供することが行なわれている（特許文献１）。
【特許文献１】特開平７−２１２６０２号公報
【発明の開示】
【発明が解決しようとする課題】
【０００３】
しかしながら、上記従来の履歴情報を保持する画像処理装置では、画像データそのものを蓄積するために、画像データの処理負荷が大きく、必要となる記憶容量も多くなってしまう。
【０００４】
このために、例えば保存する画像データのサイズなどを設定可能として、対象となる画像データのサイズを比較的小さいサイズの画像データに変換してから蓄積することで処理負荷を軽減するとともに必要記憶容量を低減する方法も考えられている。
【０００５】
しかし例えばファクシミリにて送信する画像データと、印刷処理される画像データとでは、出力される結果に、解像度やカラーの有無の点などで相違があり、これらを共通のサイズで保持することとしておくと、履歴情報としての画像データの品質に過不足が生じる。例えば、３００ｄｐｉ（dots par inch）の解像度で保存するように設定した場合、２００ｄｐｉの解像度で送信されるファクシミリの画像データに対しては品質が過剰となる。一方で１２００ｄｐｉの解像度で印刷される画像データに対しては、保存される画像データにおいて、元々含まれていた文字が潰れて可読性が損なわれる場合等があり、品質が低すぎることとなる。このように、送信先や処理形態により様々な種類の画像処理を行う場合、それぞれの処理毎に求められる保存すべき画像データの質が異なっているが、上記の例の場合は、この要求を満たすことができない。
【０００６】
本発明は上記実情に鑑みて為されたもので、履歴情報の品質の過不足を低減するよう調整でき、処理負荷や必要な記憶容量を最適化できる画像処理装置を提供することを、その目的の一つとする。
【課題を解決するための手段】
【０００７】
上記従来例の問題点を解決するための本発明は、処理の指示の入力を受けて、処理の対象となる画像データに対して前記指示された処理を実行する画像処理装置であって、前記入力された処理の指示に基づいて、画像ログの生成に係る設定を定める手段と、前記定められた設定に従い、前記処理の対象となった画像データに基づいて、画像ログを生成する手段と、当該生成した画像ログを出力する手段と、を含むことを特徴としている。なお、画像ログの出力先としては、画像処理装置内に蓄積保持することとしてもよいし、ネットワークを介してサーバなどへ送信出力してもよい。
【０００８】
ここで、前記画像ログの生成に係る設定を定める手段は、処理の指示による画像データの処理結果の出力先に基づいて、当該設定を定めてもよい。
【０００９】
このとき前記画像ログの生成に係る設定を定める手段は、処理の指示による画像データの処理結果の出力先が複数ある場合には、予め定められた基準に従って、そのうちの一つを代表出力先として選択し、当該選択した代表出力先に基づいて、前記設定を定めてもよい。
【００１０】
また前記画像ログの生成に係る設定は、画像ログの生成パラメータ情報を、少なくとも一つ含み、前記画像ログの生成に係る設定を定める手段は、処理の指示による画像データの処理結果の出力先が複数ある場合には、各出力先に関連づけられている設定を取得し、取得した複数の設定のそれぞれに含まれている生成パラメータ情報のそれぞれについて、予め定められた基準に従って、代表パラメータを選択し、当該選択した代表パラメータの組み合わせに基づいて、画像ログの生成に係る設定を定めてもよい。
【００１１】
また本発明の一態様は、処理の指示の入力を受けて、当該処理の対象となる画像データに対して前記指示された処理を実行する画像処理装置の制御方法であって、前記入力された処理の指示に基づいて画像ログの生成に係る設定を定める工程と、前記定められた設定に従い、前記処理の対象となった画像データに基づいて、画像ログを生成する工程と、当該生成した画像ログを出力する工程と、を含むことを特徴としている。
【００１２】
さらに本発明の別の態様はプログラムであって、処理の指示の入力を受けて、当該処理の対象となる画像データに対して前記指示された処理を実行するコンピュータに、前記入力された処理の指示に基づいて画像ログの生成に係る設定を定める手順と、前記定められた設定に従い、前記処理の対象となった画像データに基づいて、画像ログを生成する手順と、当該生成した画像ログを出力する手順と、を実行させることを特徴としている。
【発明を実施するための最良の形態】
【００１３】
本発明の実施の形態について図面を参照しながら説明する。本発明の実施の形態に係る画像処理装置は、例えばコピー機能、ファクシミリ送受信機能、スキャン機能、プリント出力機能等を備えた複合機であって、図１に示すように、コントローラ部１０と、少なくとも一つの周辺装置２０とを含む。また、この複合機は、ネットワークを介してパーソナルコンピュータやサーバコンピュータに接続され、また電話回線網に接続されている。ここでコントローラ部１０は、制御部１１、記憶部１２、操作部１３、及びインタフェース部１４を含んで構成される。また、周辺装置２０は、ここではスキャナ部２０ａと、ファクシミリ通信部２０ｂと、ネットワークインタフェース（ＮＩＣ）２０ｃと、プリンタ部２０ｄとを含むものとする。
【００１４】
コントローラ部１０の制御部１１は、ＣＰＵ等のプログラム制御デバイスであり、記憶部１２に格納されているプログラムに従って動作している。本実施の形態では、この制御部１１が、受信した画像データを画像ログ（履歴情報）として保存する処理や、保存した画像ログを表示する処理等を実行する。この制御部１１の処理については後に詳しく説明する。
【００１５】
記憶部１２は、ＲＡＭ（Random Access Memory）やＲＯＭ（Read Only Memory）などの記憶素子と、ハードディスク等のストレージデバイスを含んで構成される。この記憶部１２には、制御部１１によって実行されるプログラムが格納されている。また、この記憶部１２は、制御部１１のワークメモリとしても動作する。また、この記憶部１２は、本発明のストレージ手段を実現するものであり、受信した画像データを画像ログとして蓄積して記録する。さらに本実施の形態では、この記憶部１２は、図２に示すように、出力先や画像処理種別ごとに画像ログの生成に係る設定を関連づけて保持している。ここで出力先は、例えばファクシミリ通信部２０ｂ、ＮＩＣ２０ｃ、プリンタ部２０ｄの別などであり、ここで画像ログの生成に係る設定は、画像ログとして記録する画像データに関する設定情報であり、例えば複数ページからなる画像データであれば、「全ページ」または「最初の５ぺージ」等どのページを保存するかを表すページ特定情報を含む。また、この設定には、解像度、カラー／モノクロの別等を含んでもよい。また、この設定は、画像処理と、画像ログの生成との順序に関わる情報（画像ログを生成してから画像処理を実行する「ログ生成保証モード」であるか否か、例えば画像処理と画像ログ生成を非同期でそれぞれ実行する等の処理）などを含んでもよい。
【００１６】
操作部１３は、液晶タッチパネルや、テンキーなどのキーパッドなどを含んで構成される。この操作部１３では、コピーや、スキャン、ファクシミリ送信などの指示を入力できるようになっている。操作部１３は、入力された指示の内容を制御部１１に出力する。なお、スキャンの指示とは、スキャナ部２０ａで読み取った画像データを、ネットワーク等を介して指定されたパーソナルコンピュータ等へ送信する処理の指示である。
【００１７】
インタフェース部１４は、周辺装置２０に接続されている。このインタフェース部１４は、制御部１１から入力される指示に従って、指定された宛先に指定されたデータを出力する。また、インタフェース部１４は、周辺装置２０から入力されるデータを制御部１１に出力する。このとき、インタフェース部１４は、データの入力元となった周辺装置２０を特定する情報を制御部１１に出力する。
【００１８】
周辺装置２０の一つとしてのスキャナ部２０ａは、例えばフラットベッドスキャナであり、原稿読み取り面に載置された原稿を光学的に読み取り、その結果得られた画像データをインタフェース部１４を介して制御部１１に出力する。
【００１９】
ファクシミリ通信部２０ｂは、電話回線網に接続されている。このファクシミリ通信部２０ｂは、インタフェース部１４を介して制御部１１から入力される指示に従って、指定された電話番号を発呼し、ファクシミリのプロトコルで画像データを伝送する。また、このファクシミリ通信部２０ｂは、電話回線網を介して着呼すると、当該呼を着信してファクシミリのプロトコルで画像データを受信する。そして当該受信した画像データをインタフェース部１４を介して制御部１１に出力する。
【００２０】
ＮＩＣ２０ｃは、ネットワークに接続されている。このＮＩＣ２０ｃは、インタフェース部１４を介して制御部１１から入力される指示に従って、指定された宛先に対して、指定されたデータを送信する。また、このＮＩＣ２０ｃは、ネットワークを介して受信した画像データをインタフェース部１４を介して制御部１１に出力する。プリンタ部２０ｄは、インタフェース部１４を介して制御部１１から入力される画像データに基づいて、用紙などの記録媒体上に画像を形成する。
【００２１】
ここで制御部１１による画像ログの記録、利用の処理について説明する。本実施の形態の制御部１１は、入力された処理の指示に基づいて、画像ログの生成に係る設定を定め、当該定めた設定に従い、処理の対象となった画像データに基づいて、画像ログを生成する。なお、ここでは処理の指示における処理結果の出力先に基づいて設定を定める。すなわち、制御部１１は、操作部１３における指示操作の内容の入力、又はインタフェース部１４を介して画像データや処理の指示の入力を受けて、図３に示す処理を開始し、入力された指示操作や処理の指示に基づいて画像データの処理結果の出力先がどこであるかを判断する（Ｓ１）。
【００２２】
そして制御部１１は、処理結果の出力先に関連づけて格納されている画像ログの生成に係る設定を読み出す（Ｓ２）。
【００２３】
制御部１１は、処理Ｓ２で読み出した設定において、ログを生成してから画像処理を行うモード、すなわち「ログ生成保証モード」が設定されているか否かを調べ（Ｓ３）、「ログ生成保証モード」が設定されていれば、処理対象の画像データが既に受信されているか否かを調べる（Ｓ４）。ここで、処理対象の画像データが受信されていなければ、指示操作や処理の指示等によって指定された処理に基づいて画像データの受信を行なう（Ｓ５）。例えば、コピーの指示操作が行なわれた場合は、ここでスキャナ部２０ａに原稿を読み取らせ、それによって得られた画像データを受信する。
【００２４】
そして制御部１１は、処理Ｓ２で読み出した設定に基づくログの生成処理を開始する（Ｓ６）。この生成処理については後に詳しく述べる。
【００２５】
制御部１１は、処理の対象となった画像データについて、指示操作や処理の指示等に従い、画像データを出力（印刷出力やファクシミリ送信等）し（Ｓ７）、処理を終了する。なお、処理Ｓ４において処理対象の画像データが既に受信されていれば処理Ｓ６に移行して処理を続ける。
【００２６】
一方、処理Ｓ３において、処理Ｓ２で取得した設定に含まれるログの生成モードが「ログ生成保証モード」でなければ、まず処理の対象となった画像データについて、指示操作や処理の指示等によって指定された処理を実行し（Ｓ８）、処理Ｓ２で取得した設定に基づくログの生成処理を開始する（Ｓ９）。この処理Ｓ９の生成処理は、処理Ｓ６におけるものと同じものである。
【００２７】
これら処理Ｓ６及び処理Ｓ９における生成処理では、制御部１１は、処理の対象となった画像データに基づき、画像ログの生成に係る設定に従って、保存用の画像ログを生成する。
【００２８】
例えば、画像ログの生成に係る設定として、「生成対象ページは全ページ、解像度は２００ｄｐｉ、カラー」と設定されていれば、制御部１１は、処理の対象となった画像データのすべてのページ分の画像を、２００ｄｐｉの解像度のカラー画像に変換して画像ログとする。そして制御部１１は、図示しない時計部（バッテリで動作し、画像処理装置の電源の状態に関わらず、日時を計時しているものとする）から日時の情報を取得し、当該取得した日時の情報を画像ログに含めて記憶部１２のストレージデバイスに格納する。また、利用者を特定する情報が入力されている場合は、当該利用者を特定する情報を画像ログに含めて保存してもよい。
【００２９】
これらの処理によって、例えば操作部１３にてコピーの指示操作が行なわれた場合、画像処理装置は、当該指示操作に関わる出力先（コピーの場合は、プリンタ２０ｄ）に関連づけて保持されている画像ログの生成に係る設定を取得する。
【００３０】
ここで取得した設定が「生成対象ページは全ページ、解像度は２００ｄｐｉ、カラー」、かつ「ログ生成保証モード」であると設定されていると、制御部１１は、まずスキャナ部２０ａにて原稿を読み取り、その画像データを記憶部１２に保持するとともに、原稿の全ページについて解像度２００ｄｐｉ、カラーの保存用画像データを生成し、日時の情報に関連づけて、当該保存用画像データを記憶部１２のストレージデバイスに格納する。そして記憶部１２に保持した、スキャナ部２０ａから受信した画像データを、プリンタ２０ｄに出力して、印刷出力させる。
【００３１】
またＮＩＣ２０ｃが、ネットワークを介して画像データとファクシミリ送信の指示とを受信した場合、これら画像データとファクシミリ送信の指示とが制御部１１に出力される。そして制御部１１は、ファクシミリ送信の指示に基づいて、出力先がファクシミリ通信部２０ｂであると判断し、ファクシミリ通信部２０ｂに関連づけられている、画像ログの生成に係る設定を取得する。
【００３２】
ここでは上述の通り、「ファクシミリ通信部２０ｂ」との出力先に対して、画像ログの生成に係る設定として、「生成対象ページは先頭ページのみ、解像度は７５ｄｐｉ、カラー」が設定され、「ログ生成保証モード」が設定されていないとする。
【００３３】
制御部１１は、この設定に従い、ＮＩＣ２０ｃから受信した各ページの画像データを、受信した指示に含まれる発信先番号とともにファクシミリ通信部２０ｂに出力する。そしてファクシミリ通信部２０ｂが当該指示された発信先番号を発呼し、相手側が着信すると、各ページの画像データをファクシミリのプロトコルで送信する。また受信した画像データのうち先頭ページに相当する画像データを抽出して、解像度７５ｄｐｉ、カラーの画像ログを生成し、日時の情報を含めて記憶部１２のストレージデバイスに格納する。
【００３４】
このように本実施の形態によると、処理結果の出力先に応じて、履歴情報としての画像ログの品質の過不足を低減するよう調整でき、処理負荷や必要な記憶容量を最適化できる。
【００３５】
さらに、出力先が同じであっても、利用者の指示操作の内容や、画像処理の設定などに応じて画像ログの生成に係る設定を変更できるようにしてもよい。すなわち、図２に示した画像ログの生成に係る設定に代えて、図４に示すように、例えば、ファクシミリ通信において、相手先を指定する際に、電話帳機能を利用したか否かにより画像ログの生成に係る設定を異ならせるか否かを指定可能としてもよい。電話帳機能を利用したか否かによって設定を異ならせると指定した場合には、電話帳機能を利用した場合と、そうでない場合とで互いに異なる設定を用いる（Ａ）。なお、ファクシミリ通信における電話帳機能については、広く知られているので、ここでの詳細な説明を省略する。
【００３６】
同様に、ＮＩＣ２０ｃを介して送出する場合も、宛先リスト機能（事前にアドレスを登録しておき、宛先の指定の際に登録されたものから選択可能とする機能）を利用したか否かによって、画像ログの生成に係る設定を異ならせるか否かを指定可能としてもよい。宛先リスト機能を利用したか否かによって設定を異ならせることとした場合は、宛先リスト機能を利用した場合とそうでない場合とで設定を異ならせる（Ｂ）。また、宛先別（例えばドメイン別）に画像ログの生成に関わる設定を異ならせることができるようにしてもよい（Ｃ）。
【００３７】
これら、画像ログの生成に係る設定は、利用者が変更できるようにしておいてもよい。すなわち制御部１１は、 画像ログの生成に係る設定を変更する旨の指示を受けて、利用者を認証する。ここでは例えば管理者用のユーザ名及びパスワードとして予め設定されているものを入力するように求め、入力されたユーザ名やパスワードが当該予め設定されているものに一致しているか否かを調べることによって認証を行うことができる。
【００３８】
利用者の認証に成功すると、制御部１１は、図５に示すように、設定の対象となる出力先の一覧を表示する。ここでは出力先として「プリンタ」、「ＦＡＸ」、「ネットワーク」が表示されている例を示している。
【００３９】
また、各出力先には、処理の時点で設定されている内容が関連づけて表示される。利用者はここで、設定を変更する対象となる出力先を選択し、画像ログの生成に係る設定として、解像度や生成範囲、カラーモノクロの別、ログ生成保証モードのオン／オフなどを所望の状態に変更する。これにより利用者の所望の内容で、出力先ごとの画像ログの品質を最適化できる。
【００４０】
さらに処理の指示の内容によっては、処理結果が複数の出力先に出力される場合もある。例えば、宛先Ｘに対してはファクシミリ通信によって画像データを送信し、宛先Ｙに対してはネットワークを介して画像データを送信するよう指示する場合、処理された画像データはファクシミリ通信部２０ｂと、ＮＩＣ２０ｃとの双方に出力されることとなる。
【００４１】
この場合、制御部１１は、各出力先に関連づけられている、画像ログの生成に係る設定を取得し、取得した各設定に含まれる生成パラメータ情報について、予め定められた基準に従って代表パラメータを選択する。ここで生成パラメータ情報は、解像度や生成範囲などの個々の設定であり、これら生成パラメータ情報ごとに基準を定めておく。例えば解像度であればより高いものを選択するとしておき、生成範囲についてもより多いもの（ページ数の多いもの）を選択するなどとしておく。
【００４２】
そして、複数の出力先のそれぞれに関連づけられている、画像ログの生成に係る設定の各々について、それぞれに含まれる生成パラメータ情報を参照して、各生成パラメータ情報について、上記事前に定められている基準に従っていずれかを代表として選択していく。
【００４３】
具体的な例として、プリンタ部２０ｄを出力先とする場合に、「生成対象ページは全ページ、解像度は２００ｄｐｉ、モノクロ、ログ生成保証モード」との設定となっており、ＮＩＣ２０ｃを出力先とする場合に「生成対象は全ページ、解像度は４００ｄｐｉ、カラー」となっている場合において、プリンタ部２０ｄとＮＩＣ２０ｃとの双方に、処理結果を出力するような指示を受けると、制御部１１は、これらの出力先に関連づけられた各設定について、それぞれに含まれる生成パラメータ情報を参照して、それぞれの代表を定める。
【００４４】
そこで制御部１１は例えば、「生成対象は全 ページ、解像度は４００ｄｐｉ、カラー、ログ生成保証モード」との設定を定め、この設定にて、画像ログの生成処理を行う。
【００４５】
また、画像ログの生成に係る設定に含まれる、各生成パラメータ情報の各々について代表を選択するのではなく、予め定めた基準に従って、いずれかの出力先を代表出力先として選択し、当該選択した代表出力先に関連づけられた設定を用いて画像ログを生成してもよい。
【００４６】
ここでの基準は、例えば優先順位として、降順（優先度の高いものから低いものへ順）に、ＮＩＣ２０ｃ、プリンタ２０ｄ、ファクシミリ通信部２０ｂと設定しておき、複数の出力先のうち、優先度のもっとも高いものを代表出力先として選択してもよい。
【００４７】
なお、この優先順位を定めるに当たっては、複数の出力先のそれぞれに関連づけられている各画像ログの生成に係る設定について、それぞれに含まれる生成パラメータ情報を参照してもよい。例えば、プリンタ部２０ｄを出力先とする場合に、「生成対象ページは全ページ、解像度は２００ｄｐｉ、モノクロ、ログ生成保証モード」との設定となっており、ＮＩＣ２０ｃを出力先とする場合に「生成対象は全ページ、解像度は４００ｄｐｉ、カラー」となっている場合に、予め生成パラメータ情報ごとに定められた基準により選択される生成パラメータの多い側を代表出力先としてもよい。
【００４８】
この場合、生成対象については全ページ、解像度については４００ｄｐｉ（ＮＩＣ２０ｃに対応）、カラー（ＮＩＣ２０ｃに対応）、ログ生成保証モード（プリンタ部２０ｄに対応）の各生成パラメータが選択されるとすれば、ＮＩＣ２０ｃが代表出力先として選択される。
【００４９】
また、ここまでの説明では、画像ログは、記憶部１２のストレージデバイスに格納されることとして説明したが、これに代えて、ネットワークを介して接続されるサーバ（例えばファイルサーバ）に格納されてもよい。この場合、制御部１１は、生成した保存用画像データをストレージデバイスに格納する代わりに、またはストレージデバイスに格納するとともに、ネットワークを介して接続されるサーバに送信して保持させる。
【００５０】
この場合において、ログをサーバに送信して保持させた後に、画像データの出力処理を行う「転送保証モード」と、画像データの出力処理を行ってからログをサーバに送信する「転送非保証モード」とのいずれかのモードが設定される場合には、制御部１１は設定されたモードに対応したタイミングで画像ログをサーバに送信する。
【００５１】
このように画像ログをサーバに送信するタイミングについて複数のモード（転送モード）が設定可能である場合は、この転送モードを、画像ログの生成に係る設定に含めることとしてもよい。例えば、「コピー」などについては「転送保証モード」として、画像ログがサーバに保持されてから複写の対象となる画像データを印刷出力してもよい。また、「ファクシミリ送信」などについては「転送非保証モード」として、ファクシミリ通信部２０ｂにて画像データの送信を開始させてから、画像ログをサーバに対して送信出力することとしてもよい。
【図面の簡単な説明】
【００５２】
【図１】本発明の実施の形態に係る画像処理装置の構成ブロック図である。
【図２】本発明の実施の形態に係る画像処理装置での画像ログの生成に係る設定の例を表す説明図である。
【図３】本発明の実施の形態に係る画像処理装置の動作例を表すフローチャート図である。
【図４】本発明の実施の形態に係る画像処理装置での画像ログの生成に係る設定別の例を表す説明図である。
【図５】本発明の実施の形態に係る画像処理装置での画像ログの生成に係る設定を変更する際の画面例を表す説明図である。
【符号の説明】
【００５３】
１０  コントローラ部、１１  制御部、１２  記憶部、１３  操作部、１４  インタフェース部、２０  周辺装置。
【図１】
2008042782.tif 000003
【図２】
2008042782.tif 000004
【図３】
2008042782.tif 000005
【図４】
2008042782.tif 000006
【図５】
2008042782.tif 000007